(57)【要約】【課題】開閉が容易で且つ水密性が良好なピッチャーを簡易な構造で実現する。【解決手段】周壁に弾性素材よりなる鍔状のパッキン１２を突設した蓋体１０を、シーソー状に揺動するように容器本体１の開口５下方に設け、上記蓋体は水平状態においては容器の内径より大きな寸法に設定したパッキンを容器内壁に当接させて変形させると共に、傾斜状態においてはパッキンの一部が容器開口付近に設けた膨径部３に位置して容器内壁との間に間隙を生じさせるように設定する。【選択図】      図１
2005006865.tif 000002
【特許請求の範囲】
【請求項１】
周壁に弾性素材よりなる鍔状のパッキンを突設した蓋体を、シーソー状に揺動するように容器本体の開口下方に設け、上記蓋体は水平状態においては容器の内径より大きな寸法に設定したパッキンを容器内壁に当接させて変形させると共に、傾斜状態においてはパッキンの一部が容器開口付近に設けた膨径部に位置して容器内壁との間に間隙を生じさせるように設定したことを特徴とするピッチャー。
【請求項２】
周側形状が円形の鍔状のパッキンを突設した蓋体の直径線上に位置するように蓋体の周壁の左右より一対のピンを突設し、上記鍔状のパッキンより小なる寸法の円形の内周形状を有する容器本体内壁に、上記のピンが嵌入可能な凹部を設け、上記凹部はピンの外径に対して大きめに構成することにより凹部内でピンを前後左右に遊動可能とした請求項１記載のピッチャー。
【発明の詳細な説明】
【０００１】
【発明の属する技術分野】
この発明は水などの飲料を収容する水差し状の蓋付きピッチャーに関する。
【０００２】
【従来の技術】
蓋付きの容器本体に飲料を収容し、必要に応じて蓋を開放して飲料を注水するピッチャーが広く使用されている。この場合、蓋の開放手段としては、次のものがあった。
（１）  容器本体に螺合又は嵌合した蓋体を容器本体から取り外す（公知例としては登録意匠公報第７２１６０６号等）。
（２）  蓋体の一端を容器本体に軸止することにより蓋体を揺動自在とし、蓋体の傾斜状態において容器本体との間に間隙を生じさせる（公知例としては登録意匠公報第９５９２７８号等）。
（３）  容器本体に蓋体を回動自在に嵌合し、回動位置に応じて容器本体の注ぎ口と蓋体の周壁の連通部を合致させる（公知例としては登録意匠公報第５３２３７９号等）。
（４）  蓋体に注ぎ口を設け、この注ぎ口を弁部材により開放する（公知例としては登録意匠公報第６４２１０７号等）。
【０００３】
【発明が解決しようとする課題】
前記の公知発明のうち、（１）  のものは構造が比較的簡易であるという利点を有するが、注水する都度蓋を取り外さなければならないという煩わしさがあった。
【０００４】
一方、（２）  のものは、前記のような煩わしさがないが、蓋体を容器本体に軸止する関係から容器に蓋体が常に付属するので洗浄に不便である問題があった。
【０００５】
又、（３）  のものは、蓋体を回動自在とするためにパッキンなどを使用することができず、容器本体との水密性があまくなる問題があった。
【０００６】
この点、（４）  のものは水密性を確保できるが、蓋体の中に更に弁部材を設けるので構造が複雑になる問題があった。
【０００７】
【課題を解決するための手段】
この発明は以上の従来技術の問題点に鑑みて創作されたものであり、開閉が容易で且つ水密性が良好なピッチャーを簡易な構造で提供することを目的とする。即ち、この発明のピッチャーは周壁に弾性素材よりなる鍔状のパッキンを突設した蓋体を、シーソー状に揺動するように容器本体の開口下方に設け、上記蓋体は水平状態においては容器の内径より大きな寸法に設定したパッキンを容器内壁に当接させて変形させると共に、傾斜状態においてはパッキンの一部が容器開口付近に設けた膨径部に位置して容器内壁との間に間隙を生じさせるように設定したことを特徴とする。
【０００８】
【発明の実施の形態】
以下、この発明の具体的実施例を添付図面に基づいて説明する。図１はこの発明のピッチャーの分解状態を示す図である。このピッチャーはプラスチック製の容器本体１と、この容器本体に被蓋されるプラスチック製の蓋体１０により構成される。容器本体１は上面を開口５とし、開口付近の前方を注ぎ出し口を兼ねた膨径部３とする共に、後方を前方に比べて下降した形状よりなる切り落とし部４としている。
【０００９】
蓋体１０は円筒状の本体周壁に弾性素材（この実施例ではシリコンゴムを採用）よりなる鍔状のパッキン１２を突設した構成よりなる。パッキン１２は環状のものを蓋体１０の本体周壁に設けた環状溝１１に嵌入することにより蓋体への取り付け手段としている。そして、パッキン１２の周側形状を容器本体１の内径より大きな円形とすることにより、蓋体１０の容器本体１に対する水平状態においてはパッキンは容器内壁に当接させて変形するようにしている（図３及び図５参照）。一方、蓋体１０の傾斜状態においてはパッキン１２の一部が容器開口付近の膨径部３において容器本体の内壁との間に間隙を生じさせるように、膨径部の内径及びパッキンの外径が設定される。
【００１０】
以上の蓋体１０にはその直径線上に位置するように周壁の左右より一対のピン１３、１３が突設され、これらのピンは容器本体１の開口５の下方の内壁の対向位置に設けた一対の凹部６、６に嵌入されることにより、容器本体１に対して蓋体１０がシーソー状に揺動することを支援する（図３乃至図５参照）。この場合、後記するように揺動の中心は蓋体１０に突設されるパッキン１２の左右端なので、この運動を妨げないように凹部６、６をピン１３、１３の外径に対して大きめに構成することにより凹部内でピンを前後左右に遊動可能とする。
【００１１】
【発明の効果】
以上の構成よりなるこの発明のピッチャーにおいては、蓋体１０は第一次的には容器本体１の凹部６、６内で遊動するピン１３、１３を軸として揺動する。この場合、容器本体１に対して傾斜状態にある蓋体１０を水平状態に揺動させることにより、蓋体のパッキン１２は容器本体の内壁に当接して変形しようとするが、図４の矢印に示すようにパッキンの前半分は揺動により下方に摺動されるので上方に捲れた状態となり、同じく後ろ半分は上方に摺動されるので下方に捲れた状態となる。
【００１２】
その結果、図５及び図７に示す蓋体１０の水平状態においては、パッキン１２の左右端を境として、その前半分は上方に捲れて容器本体の内壁に当接し、後ろ半分は下方に捲れて容器本体の内壁に当接した状態となり、パッキンが前後のバランスを保った状態で蓋体は水平状態で容器本体に固定され、容器の水密性を保った被蓋状態となる。
【００１３】
一方、飲料の注出のためにパッキン１２の一部と容器の膨径部３間に間隙を生じさせるように蓋体１０を傾斜状態に揺動するには、容器本体１の後方の切り落とし部４付近の蓋体の天井部を下方を押し込めばよいが、パッキン１２は前後のバランスを保って容器本体内壁に当接しているので、傾斜方向への揺動にあたってはこのバランス状態を崩さなくてはならず、傾斜方向への揺動にはそれに抗するパッキンの復元力が作用することになり、操作者は適度の手応えからなるクリック感を得ることができる。
【００１４】
以上のように、この発明によれば、蓋体の閉止時における水密性を確保しながら、クリック感を伴った操作で蓋体を容易に開放できるピッチャーを簡易な構造により実現することが可能となる。
【図面の簡単な説明】
【図１】この発明のピッチャーの分解状態の一部切り欠き側面図。
【図２】この発明のピッチャーの被蓋状態の側面図。
【図３】同上、正面から観察した要部の断面図。
【図４】同上、蓋体の開放状態の側面から観察した要部の断面図。
【図５】同上、蓋体の閉止状態の側面から観察した要部の断面図。
【図６】同上、蓋体の開放状態の要部の一部切り欠き斜視図。
【図７】同上、蓋体の閉止状態の要部の一部切り欠き斜視図。
【符号の説明】
１      容器本体
３      膨径部
１０    蓋体
１２    パッキン
【図１】
2005006865.tif 000003
【図２】
2005006865.tif 000004
【図３】
2005006865.tif 000005
【図４】
2005006865.tif 000006
【図５】
2005006865.tif 000007
【図６】
2005006865.tif 000008
【図７】
2005006865.tif 000009